(57)【要約】【課題】  電話番号の使用履歴をコンピュータサーバが自動解析し迅速且つ精度の高い電話番号情報の判定結果をインターネット網にアクセスしている端末へ返信して表示させる。【解決手段】  複数の端末とインターネット網１２を介して接続される電話番号情報の判定装置１であって、複数の電話番号の使用履歴情報を記憶するデータベース１４と、端末１０ａから受付けた電話番号を用いてデータベース１４を検索し、電話番号履歴情報の未蓄積履歴、欠番状態遷移履歴、加入状態遷移履歴、直近調査記録が欠番履歴、直近前の調査記録が欠番履歴、複数の通話停止履歴が、それぞれ存在するか否かを逐次判定し、何れの履歴も判定されないことを条件として検索情報の電話番号を長期加入者番号と判定する履歴判定情報を生成し、この履歴判定情報を端末１０ａへインターネット網１２を介して表示させる。【選択図】  図１
2010136064.tif 000002
【特許請求の範囲】
【請求項１】
複数の端末とインターネット網を介して接続されるコンピュータサーバを用いた電話番号情報の判定装置であって、
複数の電話番号の使用履歴情報を記憶するデータベースと、
前記端末から認証情報を受信し認証手段がログインを許可することを条件として、前記端末から検索情報として電話番号を受付ける検索情報受付手段と、
前記検索情報受付手段が受付けた電話番号を用いて前記データベースを検索し、電話番号履歴情報の未蓄積履歴、前記電話番号履歴情報の中に加入状態から欠番状態へ遷移する複数の履歴、前記電話番号履歴情報の中に欠番状態から加入状態へ遷移する複数の履歴、前記電話番号履歴情報の直近調査記録が欠番履歴、前記直近調査記録より一つ前の調査記録が欠番履歴、前記電話番号履歴情報の中に複数の通話停止履歴が、それぞれ存在するか否かを逐次判定し、何れの履歴も判定されないことを条件として前記検索情報の電話番号を長期加入者番号と判定する履歴判定情報を生成し、この履歴判定情報を前記端末へ前記インターネット網を介して表示させるシステム制御手段と、
を備えることを特徴とする電話番号情報の判定装置。
【請求項２】
複数の端末とインターネット網を介して接続されるコンピュータサーバを用いた電話番号情報の判定装置であって、
複数の電話番号の使用履歴情報、前記端末から参照された電話番号の参照回数およびアクセスログを参照回数情報として記憶するデータベースと、
前記端末からアカウントを含む認証情報を受信しログインを許可する認証手段と、
前記認証手段が前記端末のログインを許可することを条件として、前記端末から検索情報の電話番号を受付ける検索情報受付手段と、
前記検索情報受付手段が受付けた電話番号を用いて前記データベースを検索し、電話番号履歴情報の未蓄積履歴、前記電話番号履歴情報の中に加入状態から欠番状態へ遷移する複数の履歴、前記電話番号履歴情報の中に欠番状態から加入状態へ遷移する複数の履歴、前記電話番号履歴情報の直近調査記録が欠番履歴、前記直近調査記録より一つ前の調査記録が欠番履歴、前記電話番号履歴情報の中に複数の通話停止履歴が、それぞれ存在するか否かを逐次判定し、何れの履歴も判定されないことを条件として前記検索情報の電話番号に対して長期加入者番号と判定する履歴判定情報を生成し、前記端末が検索している電話番号の参照回数情報を前記データベースから読み出し、検索している電話番号履歴情報および前記履歴判定情報並びに前記参照回数情報を合成した検索結果情報を前記端末へ前記インターネット網を介して表示させるシステム制御手段と、
前記検索情報受付手段が受付けた電話番号の参照回数情報を増分し、前記アカウントを前記アクセスログへ追加して前記データベースを更新するアクセスカウンタ手段と、
を備えることを特徴とする電話番号情報の判定装置。
【請求項３】
複数の端末とインターネット網を介して接続されるコンピュータサーバを用いた電話番号情報の判定装置であって、
複数の電話番号の使用履歴情報、電話番号地域情報、前記端末から参照された電話番号の参照回数およびアクセスログを参照回数情報として記憶するデータベースと、
前記端末からアカウントを含む認証情報を受信しログインを許可する認証手段と、
前記認証手段が前記端末のログインを許可することを条件として、前記端末から検索情報として電話番号および郵便番号情報を受付ける検索情報受付手段と、
前記検索情報受付手段が受付けた電話番号を用いて前記データベースを検索し、電話番号履歴情報の未蓄積履歴、前記電話番号履歴情報の中に加入状態から欠番状態へ遷移する複数の履歴、前記電話番号履歴情報の中に欠番状態から加入状態へ遷移する複数の履歴、前記電話番号履歴情報の直近調査記録が欠番履歴、前記直近調査記録より一つ前の調査記録が欠番履歴、前記電話番号履歴情報の中に複数の通話停止履歴が、それぞれ存在するか否かを逐次判定し、何れの履歴も判定されないことを条件として前記検索情報の電話番号に対して長期加入者番号と判定する履歴判定情報を生成し、前記郵便番号情報を用いて前記データベースから電話番号地域情報を検索しエリア情報を出力するとともに検索している電話番号の局番地域と一致するか否かを判定して地域判定情報を出力し、前記端末が検索している電話番号の参照回数情報を前記データベースから読み出し、検索している電話番号履歴情報と前記履歴判定情報と前記参照回数情報と前記エリア情報と地域判定情報とを合成した検索結果情報を前記端末へ前記インターネット網を介して表示させるシステム制御手段と、
前記検索情報受付手段が受付けた電話番号の検索情報に対応する電話番号の参照回数情報を増分し、前記アカウントを前記アクセスログへ追加して前記データベースを更新するアクセスカウンタ手段と、
を備えることを特徴とする電話番号情報の判定装置。
【請求項４】
複数の端末とインターネット網を介して接続されるコンピュータサーバを用いた電話番号情報の判定装置であって、
複数の端末から参照された電話番号の参照回数およびアクセスログを参照回数情報として記憶するデータベースと、
前記端末から認証情報を受信し認証手段がログインを許可することを条件として、前記端末から検索情報として電話番号を受付ける検索情報受付手段と、検索情報受付手段が受付けた電話番号を用いて前記データベースを検索し、参照回数情報を読み出して前記端末へインターネット網を介して、複数の金融業別の参照回数を前記端末のディスプレイに表示させるシステム制御手段と、
前記検索情報受付手段が受付けた電話番号の検索情報に対応する電話番号の参照回数情報を増分し、前記アカウントを前記アクセスログへ追加して前記データベースを更新するアクセスカウンタ手段と、
を備える電話番号情報の判定装置。
【請求項５】
前記システム制御手段は、前記検索情報受付手段が受付けた検索情報の電話番号をＩＳＤＮ発信手段を用いてＩＳＤＮ網へ電話をかけたときの網情報を検出し、前記検索情報の電話番号が現在使用されているのか現在未使用なのかをリアル判定手段が判定したリアル判定情報を前記端末へ前記インターネット網を介して表示させる請求項１乃至請求項４に記載の電話番号情報の判定装置。
【発明の詳細な説明】
【技術分野】
【０００１】
本発明は、データベースに記憶する電話番号の使用履歴情報を判定して電話番号の信用度を示す履歴判定情報を端末にインターネット網を介して表示させるコンピュータサーバを用いた電話番号情報の判定装置に関する。
【背景技術】
【０００２】
従来は、総務省で使用許可されている３億５０００万件すべての電話番号（固定電話と移動体電話）の使用状況を毎月調査し、過去数十ヶ月分の電話番号の利用状況データを電話番号履歴データベースへ登録し、新設電話、欠番電話、移転電話、都合取外し等の電話番号利用履歴を記憶媒体へ記憶し、この記憶媒体をユーザへ配布してコンピュータにセットし検索する電話番号情報の照会サービスを提供していた。
【０００３】
しかしながら、従来の電話番号履歴データベースでは、検索している電話番号利用履歴をコンピュータのディスプレイにリスト表示させ操作者が目視しながら、与信判定処理を遂行し電話番号による信用情報を判別し申込者のクレジット（信用）を決定している。
【０００４】
例えば、金融業界において月間１０万件のクレジットカード申込者の与信判定をコンピュータで処理するには時間的な制約が存在するため、第一次簡易与信審査結果の中から人為的に要追加与信審査に該当する１０％程度の申込案件に対して電話番号利用履歴を参照し与信の可否を決定していた。
【０００５】
このような中で、本願の発明者は、電話番号の使用状態を定期的に調査し、各調査結果をサーバのハードディスクに調査情報履歴として記憶し、サーバには「電話番号」、デジタル交換機から返送される「理由表示」、「調査年月日」、調査時に判明した移転先あるいは連絡先の番号である「新加入者番号」を含む電話番号使用状況データを電話番号毎に調査年月日の異なる複数の電話番号使用状況データを時系列に電話番号履歴情報として蓄積する履歴情報記憶手段を設け、「新加入者番号」は次回の調査電話番号として登録し、ユーザ端末からインターネットを介して電話番号調査依頼を受信すると、参照された電話番号の電話番号利用履歴情報をインターネット網に経由させてユーザ端末に提供し与信審査の判断を容易にする電話番号利用履歴情報調査提供システムを提案している（特許文献１参照）。
【０００６】
【特許文献１】特開２００６−３３８７０号公報
【発明の開示】
【発明が解決しようとする課題】
【０００７】
上述した電話番号利用履歴情報調査提供システムは、交換機からの理由表示を「使用中電話番号」と「未使用電話番号」に分類し、分類した「未使用電話番号」の中で「Ａ：使用中電話番号であっても都合取り外し電話番号」、「Ｂ：未使用電話番号であっても（移転先メッセージ案内中電話番号）、（連絡先メッセージ案内中電話番号）」、さらに「Ｃ：（番号誤りメッセージ案内中電話番号）、（現在使われていませんメッセージを案内中電話番号）」、「Ｄ：前回調査で未使用電話番号が今回使用中になった電話番号」を細分化した電話番号種別を番号または文字列に対応させて時系列に表示する。しかしながら、例えばクレジットカード申込者の電話番号を用いた与信の判断は金融業者毎に区々であり電話番号利用履歴情報に基づく検索結果情報を操作者が一見して判断できないという課題が存在していた。
【０００８】
本発明は、このような課題に対応してなされたものであり、インターネット網を介してアクセスする端末から検索情報の電話番号を受信し、この電話番号を用いて電話番号の使用履歴情報を検索し、電話番号の使用履歴をコンピュータサーバが自動解析し迅速且つ精度の高い電話番号情報の判定結果をインターネット網にアクセスしている端末へ返信して表示させることで電話番号履歴解析作業の煩わしさを操作者から開放する電話番号情報の判定装置およびその判定方法を提供することを目的とする。
【課題を解決するための手段】
【０００９】
上記目的を達成するために、本発明の電話番号情報の判定装置は、例えば、図１に示すように、複数の端末１０ａ、１０ｂとインターネット網１２を介して接続されるコンピュータサーバを用いた電話番号情報の判定装置１であって、複数の電話番号の使用履歴情報を記憶するデータベース１４と、端末１０ａから認証情報を受信し認証手段がログインを許可することを条件として、端末１０ａから検索情報として電話番号を受付ける検索情報受付手段と、検索情報受付手段が受付けた電話番号を用いてデータベース１４を検索し、電話番号履歴情報の未蓄積履歴、電話番号履歴情報の中に加入状態から欠番状態へ遷移する複数の履歴、電話番号履歴情報の中に欠番状態から加入状態へ遷移する複数の履歴、電話番号履歴情報の直近調査記録が欠番履歴、直近調査記録より一つ前の調査記録が欠番履歴、電話番号履歴情報の中に複数の通話停止履歴が、それぞれ存在するか否かを逐次判定し、何れの履歴も判定されないことを条件として検索情報の電話番号を長期加入者番号と判定する履歴判定情報を生成し、この履歴判定情報を端末１０ａへインターネット網１２を介して表示させるシステム制御手段と、を備えることを要旨とする。
【００１０】
このように構成すると、電話番号情報の判定装置は、電話番号履歴情報に記録されている電話番号ステータス情報の取得および判定処理回数を低減しつつ長期加入者の電話番号を推定し、電話番号履歴解析作業の煩わしさを開放する履歴判定情報を提供することができる。
【００１１】
また、本発明の電話番号情報の判定装置は、複数の端末１０ａ、１０ｂとインターネット網１２を介して接続されるコンピュータサーバを用いた電話番号情報の判定装置であって、複数の端末１０ａ、１０ｂから参照された電話番号の参照回数およびアクセスログを参照回数情報として記憶するデータベース１４と、端末１０ａから認証情報を受信し認証手段がログインを許可することを条件として、端末１０ａから検索情報として電話番号を受付ける検索情報受付手段と、検索情報受付手段が受付けた電話番号を用いてデータベース１４を検索し、参照回数情報を読み出して端末１０ａへインターネット網を介して、複数の金融業別の参照回数を端末１０ａのディスプレイに表示させるシステム制御手段と、検索情報受付手段が受付けた電話番号の検索情報に対応する電話番号の参照回数情報を増分し、アカウントをアクセスログへ追加してデータベース１４を更新するアクセスカウンタ手段と、を備えることを要旨とする。
【００１２】
さらに、データベースＤＢ１４は電話番号地域情報を記憶することができ、システム制御手段は端末１０ａから受信した郵便番号情報を用いてデータベースＤＢ１４から電話番号地域情報を検索しエリア情報を出力するとともに検索している電話番号の局番地域と一致するか否かを判定して地域判定情報を出力し、検索している電話番号履歴情報と履歴判定情報と参照回数情報とエリア情報と地域判定情報とを合成した検索結果情報を端末１０ａへインターネット網１２を介して表示させることもできる。
【００１３】
さらにまた、システム制御手段は、検索情報受付手段が受付けた検索情報の電話番号をＩＳＤＮ発信手段を用いてＩＳＤＮ網２８へ電話をかけたときの網情報を検出し、検索情報の電話番号が現在使用されているのか現在未使用なのかをリアル判定手段が判定したリアル判定情報を端末１０ａへインターネット網１２を介して表示させることもできる。
【発明の効果】
【００１４】
以上のように、本発明の電話番号情報の判定装置は長期加入者の電話番号を推定し履歴判定情報を迅速に提供することができる。
【発明を実施するための最良の形態】
【００１５】
本発明の実施形態を図１乃至図１１を参照しながら説明する。本実施形態の電話番号情報の判定装置１は、概略的には、図１に例示するように、複数の端末１０ａ、１０ｂから受信する電話番号を検索キーとしてデータベースＤＢ１４を検索し、与信審査情報の基礎となる電話番号の使用履歴情報のフィールドを抽出し、電話番号ステータス情報の種類や遷移履歴を判定しながら長期加入者の電話番号を推定するコンピュータサーバである。
【００１６】
図１は、本発明の実施形態のコンピュータサーバを用いる電話番号情報の判定装置１の全体構成を概略的に示すシステム構成図である。電話番号情報の判定装置１は、複数の端末１０ａ、１０ｂとインターネット網１２を介して接続されるコンピュータサーバであって、認証部１６、検索情報受付部１８、アクセスカウンタ部２２、ＩＳＤＮ発信部２４、およびリアル判定部２６をそれぞれコンピュータソフトウエアの実行によりシステムの中核手段として機能させるシステム制御手段としてのシステム制御部２０と、ハードディスクのような記憶装置に格納されるデータベースＤＢ１４とを備える。
【００１７】
データベースＤＢ１４は、総務省が許可する固定および携帯の複数の電話番号の使用履歴情報と、電話交換局の局番から交換局の担当地域を特定する電話番号地域情報と、端末１０ａ、１０ｂから参照された電話番号の参照回数およびアクセスログを参照回数情報として記憶する。
【００１８】
認証部１６は、例えば端末１０ａまたは端末１０ｂからアカウントを含む認証情報を受信しログインを許可する。このアカウントは端末１０ａおよび端末１０ｂを操作するユーザがキーボードから入力するＩＤ情報およびパスワード情報の文字数字列を含み、本実施形態ではアカウントのＩＤ情報をアクセスログへ記録する場合とＩＤ情報およびパスワード情報を組み合わせて認証情報として使用する場合がある。
【００１９】
また、アカウントはグループ毎に識別できるように、例えば金融、金融保証、クレジット、消費者金融、住宅関連、通販、その他のグループに分類され各ユーザに分配されている。アカウントおよびパスワードのデータは認証部１６に記録してもよく、データベースＤＢ１４に記録してもよい。要は端末１０ａおよび端末１０ｂのログインとアクセスログ生成に用いるための識別情報である。
【００２０】
検索情報受付部１８は認証部１６が端末１０ａまたは端末１０ｂのログインを許可することを条件として、端末１０ａまたは端末１０ｂから検索情報として電話番号を受付ける。また、検索情報受付部１８は検索情報として電話番号および郵便番号情報を受付けることもできる。
【００２１】
ここで、「ログインを許可することを条件として」とは、電話番号情報の判定装置１が電話番号履歴情報解析処理およびアクセスログ更新処理を開始する状態を意味し、ユーザ以外のアクセスを排除するとともに、ユーザからのアクセスであっても接続確認用パスワードを用いたその他デモアクセスを許可する判定条件を示している。
【００２２】
アクセスカウンタ部２２は、検索情報受付部１８が受付けた電話番号の検索情報に対応する電話番号の参照回数情報を増分し、アカウントをアクセスログへ追加してデータベースを更新する。
【００２３】
リアル判定部２６は、検索情報受付部１８が受付けた検索情報の電話番号をＩＳＤＮ発信部２４を用いてＩＳＤＮ網２８へ電話をかけたときの網情報を検出し、検索情報の電話番号が現在使用されているのか現在未使用なのかを判定したリアル判定情報を出力する。
【００２４】
例えば、リアル判定部２６は検索情報の電話番号毎にＩＳＤＮ網２８から取得したＪＴ−Ｑ９３１（レイヤー３）情報の「０１：欠番」、「１６：正常」、「２２：相手加入者番号変更」、「２８：無効番号」、および「２２」に付帯する移転先電話番号を検出し、切断メッセージの中の理由番号から文字列変換若しくは接続可能信号を文字列変換して「実在、欠番、正常、移転、無効」のようなリアル判定情報を出力する。
【００２５】
次に、本発明の実施形態の電話番号情報の判定装置１の詳細構成及びその動作について、図２乃至図１１を用いて説明する。
【００２６】
図２は、端末１０ａまたは端末１０ｂのディスプレイに表示される電話番号情報検索画面である。端末１０ａおよび端末１０ｂは、パーソナルコンピュータおよび携帯情報端末若しくは携帯電話を用いることができ、ディスプレイには端末１０ａからインターネット網１２を介して電話番号情報の判定装置１にアクセスしてログインを実行した後の状態を例示している。
【００２７】
操作者は、検索情報入力領域３０の左欄に設けられた「電話番号１」、「郵便番号１」、中欄に設けられた「電話番号２」、「郵便番号２」、右欄に設けられた「電話番号３」、「郵便番号３」の任意の入力ボックスに電話番号または郵便番号をキーボード入力する。また、リアル判定情報を要求する場合は、左中右蘭にそれぞれ設けられた「発信する」チェックボタンをポインタでマークする。さらに、電話番号の使用履歴情報を要求する場合は、左中右蘭にそれぞれ設けられた「履歴表示」チェックボタンをポインタでマークする。
【００２８】
端末１０ａは、操作者による検索ボタン３２のクリックまたは押下操作に応動して検索情報入力領域３０に入力された検索情報をインターネット網１２を介して電話番号情報の判定装置１に送信する。
【００２９】
図３は、端末１０ａまたは端末１０ｂのディスプレイに表示される電話番号の情報検索結果画面である。例えば、情報検索結果表示領域４０には、電話番号「０３ＡＡＡＡＢＢＢＢ」、郵便番号「ＣＣＣＤＤＤＤ」、履歴表示要求、およびリアル判定情報要求に基づき、上段から下段方向に、検索した電話番号および郵便番号、ＩＳＤＮ網２８の網情報から判定した着呼側の電話タイプ、交換局のエリア、電話事業者、電話局番と郵便番号が一致するか否かの地域判定、電話番号情報の判定装置１による電話番号の履歴判定、アカウントグループ別に分類した検索中の電話番号の参照回数４２、リアル判定結果４４がリスト表示されている。
【００３０】
図中の参照回数４２は、例れば、都銀や地銀や信用金庫のような銀行業界を示す「金融」、融資の金融保証業界を示す「金融保証」、クレジットカード業界を示す「クレジット」、消費者ローン業界を示す「消費者金融」、住宅ローン業界を示す「住宅関連」、通信販売や割賦販売業界を示す「通販」、その他の金融業者を示す「その他」に分類された参照回数を端末１０ａのディスプレイに表示する。
【００３１】
システム制御部２０は、認証部１６が認証したアカウントと認証日時に対応させてアクセスカウンタ部２２がカウントアップする参照回数情報をデータベースＤＢ１４に記録または更新することで、複数の端末から過去に参照された参照回数を金融業界の業種ごとに分類して端末１０ａに表示する。また、情報検索結果表示領域４０の表示が完了した後に、操作者がポインタを参照回数の右側ボタン内に表示するアカウントグループ文字、例えば「金融」をクリック操作すると、電話番号情報の判定装置１から送信された参照回数情報の中のアクセスログを端末１０ａのディスプレイにバルーンメッセージ４６内に表示する。
【００３２】
図中の参照回数４２は例示として「０」を表示しているが、複数の端末から過去に参照された場合、その参照回数が表示されることは言うまでもない。また、情報検索結果表示領域４０の表示が完了した後に、操作者がポインタを参照回数の右側ボタン内に表示するアカウントグループ文字、例えば「金融」をクリック操作すると、端末１０ａは検索中の電話番号に対する金融アカウントのアクセスログ要求をインターネット網１２に経由させて電話番号情報の判定装置１に送信することもできる。
【００３３】
この場合、電話番号情報の判定装置１は、端末１０ａのアクセスログ要求に応答しデータベースＤＮ１４に記憶するアクセスログを検索してインターネット網１２を介して端末１０ａへ金融アカウントのアクセスログを端末１０ａへ返信する。
【００３４】
端末１０ａは、ディスプレイの情報検索結果表示領域４０に重畳するようにバルーンメッセージ４６を出現させ、金融アカウントのアクセスログをバルーンメッセージ４６内に表示する。表示する内容は会社別アカウント記号およびアクセス日時を含ませることができる。
【００３５】
但し、本発明はデータベースＤＢ１４に記憶するアクセスログの検索結果を表示する態様に限定されず、例えば、端末１０ａが現在アクセスした記録を電話番号情報の判定装置１のアクセスカウンタ部２２がカウントアップした後のアクセスログを表示することもできるし、電話番号情報の判定装置１から情報検索結果画面のデータを送信する際にデータベースＤＢ１４に記録するアクセスログ情報を付随させて送信してもよい。
【００３６】
本実施態では、情報検索結果表示領域４０に参照回数４０を表示させることもできる。すなわち、複数の端末１０ａ、１０ｂとインターネット網１２を介して接続されるコンピュータサーバを用いた電話番号情報の判定装置１であって、複数の電話番号の使用履歴情報と端末１０ｂから参照された電話番号の参照回数およびアクセスログを参照回数情報として記憶するデータベースＤＢ１４と、端末１０ａから認証情報を受信し認証部１６がログインを許可することを条件として、端末１０ａから検索情報として電話番号を受付ける検索情報受付部１８と、検索情報受付部１８が受付けた電話番号を用いてデータベースＤＢ１４を検索し、参照回数情報を読み出して端末１０ａへインターネット網１２を介して、複数の金融業別の参照回数である都銀や地銀や信用金庫のような銀行業界を示す「金融」、融資の金融保証業界を示す「金融保証」、クレジットカード業界を示す「クレジット」、消費者ローン業界を示す「消費者金融」、住宅ローン業界を示す「住宅関連」、通信販売や割賦販売業界を示す「通販」、その他の金融業者を示す「その他」に分類された参照回数４０を端末１０ａのディスプレイに表示させるシステム制御部２０と、検索情報受付部１８が受付けた電話番号の検索情報に対応する電話番号の参照回数情報を増分し、アカウントをアクセスログへ追加してデータベース１４を更新するアクセスカウンタ部２２と、を備える電話番号情報の判定装置を提供することもできる。
【００３７】
このように構成すると、端末１０ａの操作者は消費者の流動金融資産である借入金の総量規制を超過するか否かを電話番号の参照回数４０を目視するだけで判断することができる。例えば、端末１０ｂが他の金業者のアカウントで同一の電話番号を検索したアクセスログが存在する場合、操作者は申込者の申込借入金額が年収入金額の３０％に該当する場合は、他の金融業者が端末１０ｂから同一の電話番号を参照した履歴を把握できるので、借入金の総量規制を超過する可能性があると判断することができる。
【００３８】
本実施形態では、端末１０ａが送信した検索情報から地域判定の一致、履歴判定の正常、およびリアル判定の実在および調査日付が電話番号情報の判定装置１により判定できる。
【００３９】
そして、操作者は端末１０ａを操作して画面をスクロールさせ図４に示す電話番号の使用履歴情報４８をディスプレイに表示することができる。この電話番号の使用履歴情報４８には、直近の調査履歴として２００８年１０月１５日の電話番号ステータスを「実在」として記録し、直近前の２００８年０９月０４日から２００６年１１月２５日まで過去の電話番号ステータスを「実在」として記録し、操作者はディスプレイをスクロールさせるだけで履歴判定の「正常」の根拠となる電話番号の使用履歴情報４８を表示させることもできる。電話番号の使用履歴情報４８には、２３世代分の電話番号ステータスが表示されている。
【００４０】
本実施形態では、クレジットカード業界が数百万もの口座解約や信用供与枠の削減、金利の引き上げといった方法で、予想される消費者のデフォルト増大に対処していることに鑑み。例えば、クレジットカード業界は毎月１０万件の新規クレジット申込やカードローン枠の引き上げを審査するが、消費者の多くは図４に示す電話番号の加入者であると推定する点がコンピュータ処理の有効活用に資する。
【００４１】
具体的には、電話番号の使用履歴情報４８の中に所定の危険要素が検出された段階でコンピュータは電話番号の使用履歴解析を終了し、想定される危険要素が検出されない電話番号を「正常」の電話番号と推定すればよい。コンピュータを用いて電話番号の使用履歴情報を先頭から最後まで読出し電話番号ステータスを判定し「実在」をベタで確認してから履歴判定を「正常」に判定するのが単純であり正確なプロセスであるが、本実施形態ではクレジット業界が要求する与信調査量を処理するためにこのような実行プロセスに比してコンピュータ資源を有効に活用できる判定プロセスを提供する。
【００４２】
例えば、約１億個の電話番号の中で危険度を検出する電話番号が僅かに約１万個であるという経験則から想定される危険度の判定を実行し、想定される危険度に合致しない電話番号を「正常」または「長期加入者番号」であると推定する判定プロセスによりコンピュータの負荷を軽減させることができる。
【００４３】
図５は、本発明の実施形態の電話番号情報の判定装置１の動作シーケンスを示すフローチャートである。システム制御部２０は、認証部１６の認証許可を経て電話番号の使用履歴解析開始ステップＳ５０（以下、ステップＳを「Ｓ」と略記する。）を実行する。
【００４４】
システム制御部２０は、検索情報受付部１８が受付けた電話番号を用いてデータベースＤＢ１４を検索し、電話番号のフィールド抽出Ｓ５１を実行する。
【００４５】
危険度「５」の判定Ｓ５２では、データベースＤＢ１４の中に検索中の電話番号の使用履歴情報が不存もしくは存在しても電話番号ステータスが直近を含めて回線エラーの履歴である場合は是（ＹＥＳ）と判定しＳ５８へ分岐して危険要素フラグＣＦに「５」を記録する。この危険要素フラグＣＦ「５」の電話番号は、例えば、最新の調査記録から過去の調査記録に遡り「区分未対応」、「回線エラー」、「調査準備中」、「廃止」のような利用者に電話番号の払い出しの実績がない電話番号である電話番号履歴情報の未蓄積履歴が該当する。この未蓄積履歴の判定では１世代分の電話番号ステータスの解析および判定を実行するだけで判定処理を完了させることができる。
【００４６】
次に、システム制御部２０は、判定Ｓ５２を非（ＮＯ）の判定で通過する電話番号のフィールドの欠番変化解析Ｓ５３を遂行する。この欠番変化解析Ｓ５３は電話番号履歴情報の中に加入状態から欠番状態へ遷移する複数の履歴が存在するか解析する。この解析は、２回の遷移状態を検出した時点で欠番変化解析を終了させ次のステップに移行させてもよい。
【００４７】
システム制御部２０は、危険度「１」判定Ｓ５４を実行し、例えば、電話番号履歴情報の中に２回の「実在」から「欠番」へ遷移した電話番号ステータスが存在する場合は是（ＹＥＳ）と判定しＳ５９へ分岐して危険要素フラグＣＦに「１」を記録する。
【００４８】
ここで「電話番号ステータスの遷移」は、例えば、電話番号履歴情報を直近の調査日付から過去の調査日付に遡って電話番号ステータスを読出し「欠番」の次に「実在」を読み出した段階で１回の遷移を検出し、２回目の遷移が存在するか否か処理を続行する。そして、２回の遷移状態を検出した時点で電話番号ステータスの遷移検出処理を終了させ次のステップに移行させてもよい。
【００４９】
但し、本発明は過去の調査日付に遡って電話番号ステータスを読出す態様に限定されず、例えば、最古の調査日付から直近の調査日付に遡って電話番号ステータスを読出し「実在」の次に「欠番」を読み出しても１回の遷移を検出することができる。
【００５０】
システム制御部２０は、判定Ｓ５４を非（ＮＯ）の判定で通過する電話番号のフィールドの有効変化解析Ｓ５５を遂行する。この有効変化解析Ｓ５５は電話番号履歴情報の中に欠番状態から加入状態へ遷移する複数の履歴が存在するか解析する。例えば、「欠番」から「実在」へ遷移する複数の履歴が存在するか解析する。この解析は、２回の遷移状態を検出した時点で欠番変化解析を終了させ次のステップに移行させてもよい。
【００５１】
システム制御部２０は、危険度「１」判定Ｓ５６を実行し、例えば、電話番号履歴情報の中に２回の「欠番」から「実在」へ遷移した電話番号ステータスが存在する場合は是（ＹＥＳ）と判定しＳ６０へ分岐して危険要素フラグＣＦに「１」を記録する。
【００５２】
システム制御部２０は、上述したＳ５８、Ｓ５９、およびＳ６０の危険要素フラグＣＦ処理を実行した場合は、処理を検索結果出力およびカウントアップＳ６１に移行し端末１０ａまたは端末１０ｂへ合成した情報検索結果画面を送信しディスプレイに表示させ処理を終了させる。
【００５３】
一方、システム制御部２０は、危険度「１」判定Ｓ５６で非（ＮＯ）の判定をする場合、処理を危険度２乃至４判定Ｓ５７へ移行させる。危険度２乃至４判定Ｓ５７では、直近（最新）状態解析Ｓ６２を実行する。この状態解析Ｓ６２は、例えば、電話番号履歴情報の中の直近（最新）の電話番号ステータスを読み出し危険度「２」判定Ｓ６３へ移行させる。
【００５４】
システム制御部２０は、危険度「２」判定Ｓ６３を実行し、電話番号履歴情報の直近の調査日付に記録している電話番号ステータスが「欠番」であるか否かを判定し、「欠番」である場合は是（ＹＥＳ）と判定しＳ６９へ分岐して危険要素フラグＣＦに「２」を記録する。
【００５５】
一方、システム制御部２０は、危険度「２」判定Ｓ６３で非（ＮＯ）の判定をする場合、処理を直近前解析Ｓ６４へ分岐させる。この直近前解析Ｓ６４は、直近の調査日付の前に調査した電話番号ステータスを読出し解析する。つまり、直近の調査日付の電話番号ステータスが「欠番」以外の履歴を有する電話番号を解析する。
【００５６】
システム制御部２０は、危険度「３」判定Ｓ６５を実行し、電話番号履歴情報の直近の調査日付の１つ前の調査日付に記録している電話番号ステータスが「欠番」であるか否かを判定し、「欠番」である場合は是（ＹＥＳ）と判定しＳ７０へ分岐して危険要素フラグＣＦに「３」を記録する。
【００５７】
他方、システム制御部２０は、危険度「３」判定Ｓ６５で非（ＮＯ）の判定をする場合、処理を通話停止解析Ｓ６６へ分岐させる。この通話停止解析Ｓ６６は、電話番号履歴情報の中に複数の「通話停止」が記録されているか電話番号ステータスを読出し解析する。例えば、この解析は、２回の「通話停止」を検出した時点で通話停止解析を終了させ次のステップに移行させてもよい。
【００５８】
システム制御部２０は、危険度「４」判定Ｓ６７を実行し、電話番号履歴情報の中で電話番号ステータスの「通話停止」が２回検出するか否かを判定し、２回検出する場合は是（ＹＥＳ）と判定しＳ７１へ分岐して危険要素フラグＣＦに「４」を記録する。
【００５９】
さらに、システム制御部２０は、危険度「４」判定Ｓ６７で非（ＮＯ）の判定をする場合、処理を危険度未検出Ｓ６８へ分岐させる。この危険度未検出Ｓ６８は、電話番号履歴情報を、例えば、上述した未蓄積、欠番遷移、実在遷移、直近欠番、直近前欠番の履歴の判定で何れの危険履歴も判定されないことを条件として、検索情報の電話番号に対して例えば、危険要素非該当の「実在」や「局預け」や「一時取外し」の状態が連続している既契約電話番号を含む長期加入者番号と判定する履歴判定情報を生成し、危険要素フラグＣＦに「０」または「スペース」若しくは「正常符号」を記録する。
【００６０】
システム制御部２０は、上述したＳ６８、Ｓ６９、Ｓ７０、およびＳ７１の何れか１つの危険要素フラグＣＦ処理を実行した後に、処理を検索結果出力およびカウントアップＳ７２に移行させ端末１０ａまたは端末１０ｂへ合成した情報検索結果画面を送信しディスプレイに表示させ処理を終了させる。
【００６１】
システム制御部２０は、検索結果出力およびカウントアップＳ６１において、フラグＣＦに記録した数値をそのまま判定結果として端末１０ａまたは端末１０ｂへ返信してもよく、フラグＣＦに記録した数値を文字列に変換して判定結果として端末１０ａまたは端末１０ｂへ返信してもよい。例えば、ＣＦ「１」は「実在と欠番の反復が多い」、ＣＦ「５」は「判定不能」の文字列で危険度を報知表示するように返信する。
【００６２】
また、システム制御部２０は、検索結果出力およびカウントアップＳ７２において、フラグＣＦに記録した数値をそのまま判定結果として端末１０ａまたは端末１０ｂへ返信してもよく、フラグＣＦに記録した数値を文字列に変換して判定結果として端末１０ａまたは端末１０ｂへ返信してもよい。例えば、ＣＦ「２」は「直近が欠番」、ＣＦ「３」は「実在の履歴が浅い」、ＣＦ「４」は「通話停止が多い」、ＣＦ「正常値」は「正常」の文字列で危険度を報知表示するように返信する。
【００６３】
さらに、システム制御部２０は、危険度「１」判定Ｓ５４で、「実在」、「通話停止」、「取外し」の何れか１つの電話番号ステータスから「欠番」に遷移した事象を検知してもよい。要は加入契約中の電話番号から未加入または契約解除の電話番号に遷移した事象を検知すれば電話番号の信用度を判定することができる。
【００６４】
同様に、システム制御部２０は、危険度「１」判定Ｓ５６で、「欠番」の電話番号ステータスから「実在」、「通話停止」、「取外し」の何れか１つに遷移した事象を検知してもよい。要は未加入または契約解除の電話番号から加入契約中の電話番号に遷移した事象を検知すれば電話番号の信用度を判定することができる。
【００６５】
同様に、システム制御部２０は、危険度「３」判定Ｓ６５で、「欠番」と同等の「移転」、「調査準備中」、「廃止」、「局番なし」の何れか１つに該当するか否かを検知してもよい。要は未加入または契約解除の電話番号の信用度を判定することができる。
【００６６】
本実施形態では、電話番号履歴判定の精度を高めるために、端末１０ａまたは端末１０ｂが検索情報として提供する郵便番号情報を用いてデータベースＤＢ１４から電話番号地域情報を検索しエリア情報を出力するとともに検索している電話番号の局番地域と一致するか否かを判定して地域判定情報を出力することもできる。例えば、郵便番号情報で指定された地域と検索している電話番号を担当する局番地域とを比較し、一致する場合は地域判定結果を「一致」と出力し、不一致のときは地域判定結果を「不一致」と出力することで、電話番号の履歴判定結果との整合を操作者が容易に判断することができる。
【００６７】
本実施形態では、さらに電話番号履歴判定の精度を高めるために、端末１０ａが検索している電話番号の参照回数情報をデータベースＤＢ１４から読み出し、図３に示す如くアカウント別に電話番号の参照回数を端末１０ａのディスプレイに表示させることができる。
【００６８】
アクセスカウンタ部２２は、端末１０ａまたは端末１０ｂ若しくは不図示の端末から電話番号の検索情報を受付けた際に、データベースＤＢ１４に記録しているカウンタ値をカウントアップして更新する。
【００６９】
システム制御部２０は、検索情報受付部１８が受付けた検索情報の電話番号をＩＳＤＮ発信部２４を用いてＩＳＤＮ網２８へ電話をかけたときの網情報を検出し、検索情報の電話番号が現在使用されているのか現在未使用なのかをリアル判定部２６が判定したリアル判定情報を端末１０ａまたは端末１０ｂへインターネット網１２を介して表示させることもできる。
【００７０】
このリアル判定部２６は、検索情報の電話番号をＩＳＤＮ発信部２４がＩＳＤＮ網２８に発信した際に着呼側交換機から返信させるＪＴ−Ｑ９３１（レイヤー３）情報の「０１：欠番」、「１６：正常」、「２２：相手加入者番号変更」、「２８：無効番号」、および移転先電話番号等を検出することができる。
【００７１】
図７の電話番号の使用履歴情報４８を参照しながら、欠番変化解析Ｓ５３および危険度「１」判定Ｓ５４の判定プロセスを説明する。なお、図示する電話番号の使用履歴情報４８は端末１０ａまたは端末１０ｂのディスプレイにも表示できる。
【００７２】
システム制御部２０は、電話番号の使用履歴情報４８の中で直近の調査日付「２００８−１０−１５」に記録した電話番号ステータス「実在」から順番に検索を開始し、調査日付「２００８−０６−２６」の電話番号ステータス「欠番」と調査日付「２００８−０６−０９」の電話番号ステータス「実在」を比較して１回目の欠番変化の遷移を検出する。さらに、調査日付「２００７−１２−２９」の電話番号ステータス「欠番」と調査日付「２００７−１２−０４」の電話番号ステータス「実在」を比較して２回目の欠番変化の遷移を検出する。この２回目の欠番変化の遷移を検出した段階で検索を終了し次のステップへ移行する。
【００７３】
図８の電話番号の使用履歴情報４８を参照しながら、有効変化解析Ｓ５５および危険度「１」判定Ｓ５６の判定プロセスを説明する。なお、図示する電話番号の使用履歴情報４８は端末１０ａまたは端末１０ｂのディスプレイにも表示できる。
【００７４】
システム制御部２０は、電話番号の使用履歴情報４８の中で直近の調査日付「２００８−１０−１５」に記録した電話番号ステータス「実在」から順番に検索を開始し、調査日付「２００８−０６−０９」の電話番号ステータス「実在」と調査日付「２００８−０５−０３」の電話番号ステータス「欠番」を比較して１回目の有効変化の遷移を検出する。さらに、調査日付「２００７−１２−０４」の電話番号ステータス「実在」と調査日付「２００７−１１−０１」の電話番号ステータス「欠番」を比較して２回目の有効変化の遷移を検出する。この２回目の有効変化の遷移を検出した段階で検索を終了し次のステップへ移行する。
【００７５】
図９の電話番号の使用履歴情報４８を参照しながら、直近状態解析Ｓ６２および危険度「２」判定Ｓ６３の判定プロセスを説明する。なお、図示する電話番号の使用履歴情報４８は端末１０ａまたは端末１０ｂのディスプレイにも表示できる。
【００７６】
システム制御部２０は、電話番号の使用履歴情報４８の中で直近の調査日付「２００８−１０−１５」に記録した電話番号ステータス「欠番」を読み出して「欠番」を検出した段階で検索を終了し次のステップへ移行する。
【００７７】
図１０の電話番号の使用履歴情報４８を参照しながら、直近前解析Ｓ６４および危険度「３」判定Ｓ６５の判定プロセスを説明する。なお、図示する電話番号の使用履歴情報４８は端末１０ａまたは端末１０ｂのディスプレイにも表示できる。
【００７８】
システム制御部２０は、電話番号の使用履歴情報４８の中で直近の調査日付「２００８−１０−１５」の前に記録した電話番号ステータス「欠番」を読み出して「欠番」を検出した段階で検索を終了し次のステップへ移行する。
【００７９】
図１１の電話番号の使用履歴情報４８を参照しながら、通話停止解析Ｓ６６および危険度「４」判定Ｓ６７の判定プロセスを説明する。なお、図示する電話番号の使用履歴情報４８は端末１０ａまたは端末１０ｂのディスプレイにも表示できる。
【００８０】
システム制御部２０は、電話番号の使用履歴情報４８の中で直近の調査日付「２００８−１０−１５」に記録した電話番号ステータス「実在」から順番に検索を開始し、調査日付「２００８−０７−２７」の電話番号ステータス「停止」を読出し１回目の「停止」を検出する。さらに、調査日付「２００８−０６−０９」の電話番号ステータス「停止」を読出し２回目の「停止」を検出する。この２回目の「停止」を検出した段階で検索を終了し次のステップへ移行する。つまり、システム制御部２０は、すべての調査日付に記録した電話番号ステータスを読出し判定をすることなく２回の「停止」を検出した段階で次のステップへ処理を移行させる。
【００８１】
システム制御部２０は、図７乃至図１１に示す電話番号の使用履歴情報４８を有する電話番号を危険要素が存在する番号であると端末１０ａまたは端末１０ｂに報知することができ、何れの危険要素も存在しない例えば、図４に示す「実在」が連続する電話番号の使用履歴情報４８を有する電話番号をベタ検索をすることなく、履歴判定を「正常」として出力し端末１０ａまたは端末１０ｂに報知することができる。
【００８２】
なお、本発明の実施形態に記載された、作用及び効果は、本発明から生じる最も好適な作用及び効果を列挙したに過ぎず、本発明による作用及び効果は、本発明の実施形態に記載されたものに限定されるものではない。
【図面の簡単な説明】
【００８３】
【図１】本発明の実施形態の判定装置のシステム構成図である。
【図２】本発明の電話番号情報検索画面を示す図。
【図３】本発明の電話番号の情報検索結果画面を示す図。
【図４】本発明の電話番号の使用履歴を示す図。
【図５】本発明の実施形態の判定装置の動作フローを示す図。
【図６】本発明の実施形態の判定装置の動作フローを示す図。
【図７】本発明の電話番号の使用履歴を示す図。
【図８】本発明の電話番号の使用履歴を示す図。
【図９】本発明の電話番号の使用履歴を示す図。
【図１０】本発明の電話番号の使用履歴を示す図。
【図１１】本発明の電話番号の使用履歴を示す図。
【符号の説明】
【００８４】
１０ａ  端末
１０ｂ  端末
１２  インターネット網
１４  データベースＤＢ
１６  認証部
１８  検索情報受付部
２０  システム制御部
２２  アクセスカウンタ部
２４  ＩＳＤＮ発信部
２６  リアル判定部
２８  ＩＳＤＮ網
【図１】
2010136064.tif 000003
【図２】
2010136064.tif 000004
【図３】
2010136064.tif 000005
【図４】
2010136064.tif 000006
【図５】
2010136064.tif 000007
【図６】
2010136064.tif 000008
【図７】
2010136064.tif 000009
【図８】
2010136064.tif 000010
【図９】
2010136064.tif 000011
【図１０】
2010136064.tif 000012
【図１１】
2010136064.tif 000013